(57)【要約】【課題】電子番組表の表示方法により、ユーザが視聴する番組を制限する放送受信装置を提供する。【解決手段】制御部２は、読み出した条件情報の内容と合致する視聴制限番組がEPGの中にあるか否かを判定する。視聴制限番組がEPGの中にあると判定すると、制御部２は、視聴制限番組に関する情報の表示を禁止する。そして、制御部２は、EPGを表示部３２に表示するよう画像合成部６に指示する。これにより、S６では、表示部３２において、例えば図５に示すようなEPGの画像が表示される。このように、EPGにおける、視聴制限番組に関する情報が表示部３２に表示されなくなる。そのため、ユーザは、EPGを利用した、視聴制限番組の選局を行うことできなくなる。これにより、視聴制限を必要とする番組の視聴を制限できる。従って、視聴制限を必要とする番組を子供が視聴することを制限できる。【選択図】図５
2008035223.tif 000002
【特許請求の範囲】
【請求項１】
放送局から伝送されてきたテレビ放送信号とその番組情報とを受信する受信手段と、
前記受信手段が受信した前記番組情報から電子番組表を作成し、前記電子番組表の表示が指示された時、前記電子番組表を表示画面に表示するための表示信号を形成する表示手段を備えるディジタルテレビジョンにおいて、
前記表示画面で表示された前記電子番組表において、視聴制限を行う番組の条件を示す条件情報を指定する視聴制限指定キーと、所望の番組のチャンネルを選択するチャンネル選択キーと、を有する操作手段と、
前記視聴制限指定キーによって指定された前記条件情報を記憶する記憶手段と、を備え、
前記表示手段は、
（１）前記電子番組表の表示が指示された時、前記記憶手段が記憶する前記条件情報の内容と合致する視聴制限番組が前記電子番組表の中にあるか否かを判定し、
前記視聴制限番組が前記電子番組表の中にあると判定すると、前記電子番組表における、前記視聴制限番組に関する情報の表示を禁止し、さらに、前記視聴制限番組に関する情報を表示していない旨を前記表示画面に表示するための表示信号を形成し、
（２）前記所望の番組のチャンネルが前記チャンネル選択キーによって選択された時、前記記憶手段が記憶する前記条件情報の内容と前記所望の番組とが合致するか否かを判定し、
前記条件情報の内容と前記所望の番組とが合致していると判定すると、パスワード入力画面を前記表示画面に表示するための表示信号を形成し、
入力されたパスワードが適正である場合のみ、前記受信手段が受信する前記テレビ放送信号から、選択されたチャンネルの前記所望の番組を前記表示画面に表示するための表示信号を形成するディジタルテレビジョン。
【請求項２】
放送局から伝送されてきたテレビ放送信号とその番組情報とを受信する受信手段と、
前記受信手段が受信した前記番組情報から電子番組表を作成し、前記電子番組表の表示が指示された時、前記電子番組表を表示画面に表示するための表示信号を形成する表示手段を備える放送受信装置において、
前記表示画面で表示された前記電子番組表において、視聴制限を行う番組の条件を示す条件情報を指定する視聴制限指定キーを有する操作手段と、
前記視聴制限指定キーによって指定された前記条件情報を記憶する記憶手段と、を備え、
前記表示手段は、
前記電子番組表の表示が指示された時、前記記憶手段が記憶する前記条件情報の内容と合致する視聴制限番組が前記電子番組表の中にあるか否かを判定し、
前記視聴制限番組が前記電子番組表の中にあると判定すると、前記電子番組表における、前記視聴制限番組に関する情報の表示を禁止する放送受信装置。
【請求項３】
前記表示手段は、前記視聴制限番組が前記電子番組表の中にあると判定すると、さらに、前記視聴制限番組に関する情報を表示していない旨を前記表示画面に表示するための表示信号を形成する請求項２に記載の放送受信装置。
【請求項４】
前記操作手段は、所望の番組のチャンネルを選択するチャンネル選択キーを有し、
前記表示手段は、
前記所望の番組のチャンネルが前記チャンネル選択キーによって選択された時、前記記憶手段が記憶する前記条件情報の内容と前記所望の番組とが合致するか否かを判定し、
前記条件情報の内容と前記所望の番組とが合致していると判定すると、パスワード入力画面を前記表示画面に表示するための表示信号を形成し、
入力されたパスワードが適正である場合のみ、前記受信手段が受信する前記テレビ放送信号から、選択されたチャンネルの前記所望の番組を前記表示画面に表示するための表示信号を形成する請求項２又は３に記載の放送受信装置。
【発明の詳細な説明】
【技術分野】
【０００１】
本発明は、テレビ放送信号から番組を選局して再生する放送受信装置に関し、ユーザが視聴する番組を制限する放送受信装置に関するものである。
【背景技術】
【０００２】
現行のディジタル放送において、放送局は、番組の他に、番組情報を放送している。詳述すると、放送局は、番組情報として、数時間先の番組内容や、チャンネル内容等を送出する。受信側の放送受信装置は、放送局側から伝送されてきた該番組情報を受信する。そして、放送受信装置は、該番組情報から電子番組表を作成し、画面上でその電子番組表をユーザに提供している。電子番組表は、例えばEPG（Electronic Program Guide）である。
【０００３】
近年、放送が多チャンネル化することによって、番組の内容も多種多様化しているが、この電子番組表を利用することによって、ユーザは、選局を簡単に行うことができる。
一方、特許文献１に記載されたような放送受信装置が提案されている。
【特許文献１】特開２００１−１４５０３３公報
【発明の開示】
【発明が解決しようとする課題】
【０００４】
放送される番組の中には、視聴制限を必要とする番組も存在する。視聴制限を必要とする番組とは、具体的には暴力シーンやわいせつなシーン等が含まれる番組である。
しかしながら、従来の放送受信装置において、上記の電子番組表を利用することにより、子供でも選局を簡単に行うことができてしまう。そのため、視聴制限を必要とする番組を子供が視聴してしまうことがあり、子供の教育上好ましくなかった。
【０００５】
本発明はこのような従来の課題を解決しようとするものであり、電子番組表の表示方法により、ユーザが視聴する番組を制限する放送受信装置を提供することを目的とする。
【課題を解決するための手段】
【０００６】
本発明の放送受信装置は、前記課題を解決するために以下の構成を備えている。
【０００７】
（１）放送局から伝送されてきたテレビ放送信号とその番組情報とを受信する受信手段と、
前記受信手段が受信した前記番組情報から電子番組表を作成し、前記電子番組表の表示が指示された時、前記電子番組表を表示画面に表示するための表示信号を形成する表示手段を備える放送受信装置において、
前記表示画面で表示された前記電子番組表において、視聴制限を行う番組の条件を示す条件情報を指定する視聴制限指定キーを有する操作手段と、
前記視聴制限指定キーによって指定された前記条件情報を記憶する記憶手段と、を備え、
前記表示手段は、
前記電子番組表の表示が指示された時、前記記憶手段が記憶する前記条件情報の内容と合致する視聴制限番組が前記電子番組表の中にあるか否かを判定し、
前記視聴制限番組が前記電子番組表の中にあると判定すると、前記電子番組表における、前記視聴制限番組に関する情報の表示を禁止する。
【０００８】
この構成において、放送受信装置は、例えば、光ディスク装置又はテレビジョンである。電子番組表は、例えばEPG（Electronic Program Guide）である。番組情報は、例えばEPGを作成するためのデータである。条件情報は、例えばチャンネル番号、放送時間帯、又はジャンルである。表示画面は、例えばLCD（Liquid Crystal Display）、モニターの画面、又はテレビ受像機の画面である。
この構成では、条件情報が指定される第１の場面と、電子番組表の表示が指示される第２の場面と、を想定している。
まず、第１の場面において、ユーザは条件情報を指定する。第１の場面において指定された条件情報は、記憶手段に記憶される。ここで、条件情報の内容と合致する番組が、視聴制限番組として扱われる。
そして、第２の場面において、ユーザが電子番組表の表示を指示すると、電子番組表における、視聴制限番組に関する情報が表示されなくなる。そのため、ユーザは、電子番組表を利用した、視聴制限番組の選局を行うことできなくなる。
以上より、視聴制限を必要とする番組の視聴を制限できる。従って、視聴制限を必要とする番組を子供が視聴することを制限できる。
【０００９】
（２）前記表示手段は、前記視聴制限番組が前記電子番組表の中にあると判定すると、さらに、前記視聴制限番組に関する情報を表示していない旨を前記表示画面に表示するための表示信号を形成する。
【００１０】
上記（１）では、視聴制限番組に関する情報の表示を禁止した場合、視聴制限番組の一部が表示されなくなる。そのため、放送受信装置が故障しているのではないかとユーザに誤解させてしまうおそれがある。また、番組自体が放送されていないのかとユーザに誤解されてしまうおそれもある。
この構成においては、表示手段は、視聴制限番組に関する情報を表示していない旨を表示画面に表示する。
これにより、放送受信装置が故障しているのではないかとユーザに誤解させてしまうことを防止する。また、番組自体が放送されていないのかとユーザに誤解させてしまうことも防止する。
【００１１】
（３）前記操作手段は、所望の番組のチャンネルを選択するチャンネル選択キーを有し、
前記表示手段は、
前記所望の番組のチャンネルが前記チャンネル選択キーによって選択された時、前記記憶手段が記憶する前記条件情報の内容と前記所望の番組とが合致するか否かを判定し、
前記条件情報の内容と前記所望の番組とが合致していると判定すると、パスワード入力画面を前記表示画面に表示するための表示信号を形成し、
入力されたパスワードが適正である場合のみ、前記受信手段が受信する前記テレビ放送信号から、選択されたチャンネルの前記所望の番組を前記表示画面に表示するための表示信号を形成する。
【００１２】
この構成では、電子番組表を利用しないで、チャンネルを選択する第３の場面を想定している。
この構成においては、仮に、ユーザが電子番組表の表示を無視して視聴制限番組を選局すると、パスワード入力画面が表示される。そして、ユーザが入力したパスワードが適正でない場合、視聴制限を必要とする番組は画面に表示されない。
これにより、電子番組表を利用せずにチャンネルを選択する場合でも、ユーザは視聴制限番組を選局することができなくなる。
以上より、視聴制限を必要とする番組の視聴を一層制限できる。従って、視聴制限を必要とする番組を子供が視聴することを一層制限できる。
【発明の効果】
【００１３】
この発明によれば、視聴制限を必要とする番組の視聴を制限できる。特に、視聴制限を必要とする番組を子供が視聴することを制限できる。
【発明を実施するための最良の形態】
【００１４】
以下、本発明の実施形態であるディジタルテレビジョンについて説明する。
【００１５】
図１は、本発明の実施形態であるディジタルテレビジョンの主要な構成を示すブロック図である。ディジタルテレビジョン（TV）１０１は、装置の各部を制御する制御部２と、選択されたチャンネル（以下、CHと称する）のテレビ放送信号を抽出するチューナ３と、抽出したテレビ放送信号をディジタルデータに復調する復調部４と、復調したディジタルデータから映像データと音声データとを分離し、両データを伸長するデコーダ５と、所望のＯＳＤ（On  Screen  Display）と映像データに基づく映像とを合成する画像合成部６と、映像データと音声データとの信号をアナログの信号に変換するD／A変換部８と、ユーザの操作を受付ける操作部１１と、EPGデータを記憶するEPGデータ記憶部１４と、制御プログラムを記憶する記憶部１５と、映像を表示する表示部３２と、音声を装置外部に発生するスピーカ３１と、を備える。
【００１６】
記憶部１５は、例えばEEPROMで構成される。
制御部２は、例えばマイクロコンピュータで構成される。制御部２は、上記制御プログラムにより処理されるデータ等を展開するためのワークフィールドとしてのRAM（不図示）を内蔵する。
【００１７】
操作部１１に対し、EPGの表示、電源のON／OFF、チャンネルの選択、音量の調整等の命令（コマンド）が入力されると、操作部１１は、該命令を制御部２に伝送する。ここで、操作部１１は、所望の番組のチャンネルを選択するチャンネル選択キーを有している。また、操作部１１は、リモコン装置を含む。
【００１８】
チューナ３は、アンテナ３０で受信しているテレビ放送信号から、制御部２により選択されているチャンネルのテレビ放送信号を抽出（受信）し、出力する。
復調部４は、チューナ３から出力されたテレビ放送信号をディジタルデータであるトランスポートストリームに復調し、出力する。
【００１９】
デコーダ５は、復調部４から出力されたトランスポートストリームから、映像データと音声データとEPGデータとを分離抽出する。ここで、分離抽出された映像データは、例えばMPEGでエンコードされている。そして、デコーダ５は、映像データをデコードし、出力する。出力された映像データは、画像合成部６を介して、D／A変換部８に入力される。また、デコーダ５は、音声データをデコードし、D／A変換部８に出力する。
【００２０】
画像合成部６は、不図示の画像メモリを内蔵する。画像メモリは、例えばVRAM（Video Random Access Memory）である。画像合成部６は、制御部２から与えられる制御信号に基づいて、映像データに基づく映像と、画像メモリが記憶している文字又は図形と、を合成する。
【００２１】
D／A変換部８は、デコーダ５が出力した映像データの信号をアナログの映像信号に変換し、表示部３２に出力する。表示部３２は、例えばLCD（Liquid Crystal Display）である。また、D／A変換部８は、デコーダ５が出力した音声データの信号をアナログの音声信号に変換し、スピーカ３１に出力する。
ユーザは、表示部３２およびスピーカ３１において、D／A変換部８から出力された映像信号に基づく映像と音声信号に基づく音声とを視聴することができる。
【００２２】
ここで、制御部２、EPGデータメモリ１４、画像合成部６、及びD／A変換部８が、本発明「表示手段」に相当する。記憶部１５が、本発明「記憶手段」に相当する。表示部３２が、本発明「表示画面」に相当する。チューナ３が、本発明「受信手段」に相当する。
【００２３】
一方、デコーダ５は、該EPGデータを制御部２に出力する。
制御部２は、デコーダ５から出力されたEPGデータをEPGデータメモリ１４に記録する。EPGデータメモリ１４は、例えばEEPROMで構成される。そして、制御部２は、EPGの表示が指示された時、EPGデータメモリ１４に記憶されているEPGデータを読出し、画像合成部６に出力する。
【００２４】
画像合成部６は、EPGデータを画像データに変換する。そして、画像合成部６は、その画像データを単独で、D／A変換部８に出力する。又は、画像合成部６は、その画像データに基づく画像をデコーダ５から出力された映像データに基づく映像に合成して、合成データ（表示信号）を形成する。そして、画像合成部６は、その合成データをD／A変換部８に出力する。
これにより、表示部３２において、例えば図２に示すようなEPGの画像が表示される。
【００２５】
図２は、EPG画面の表示例を示す図である。近年、放送が多チャンネル化することによって、番組の内容も多種多様化しているが、ユーザは、このEPGを利用することによって、選局を簡単に行うことができる。
【００２６】
ここで、放送される番組の中には、視聴制限を必要とする番組も存在する。視聴制限を必要とする番組とは、具体的には暴力シーンやわいせつなシーン等が含まれる番組である。
しかしながら、従来の放送受信装置において、EPGを利用することにより、子供でも選局を簡単に行うことができてしまう。そのため、視聴制限を必要とする番組を子供が視聴してしまうことがあり、子供の教育上好ましくなかった。
そこで、この実施形態では、以下のように構成している。
【００２７】
条件情報が指定される第１の場面と、電子番組表の表示が指示される第２の場面と、に分けて説明する。まず、条件情報が指定される第１の場面について説明する。
【００２８】
操作部１１は、表示部３２で表示されたEPGにおいて、視聴制限を行う番組の条件を示す条件情報を指定する視聴制限指定キー（不図示）を有する。
この実施形態において、条件情報は、チャンネル番号、放送時間帯、又はジャンルである。
【００２９】
ユーザは、視聴制限指定キーによって、条件情報を指定する。条件情報が指定されると、制御部２は、条件情報を記憶部１５に記録する。
【００３０】
図３は、記憶部１５に記憶されている内容を示す図である。記憶部１５には、視聴制限を行う番組の複数の条件１、２、３、・・・を設定することができる。そして、記憶部１５には、１つの条件設定ごとに、チャンネル番号、放送時間帯、又はジャンルの３つのパラメータを条件として指定することができる。
【００３１】
チャンネル番号のフィールド（欄）には、視聴制限を行う番組のチャンネル番号が格納される。放送時間帯のフィールドには、視聴制限を行う番組の放送時間帯が格納される。ジャンルのフィールドには、視聴制限を行う番組のジャンルが格納される。
【００３２】
そして、制御部２は、条件情報の内容と合致する番組を、視聴制限番組として扱う。ここで、条件情報の内容と合致する番組とは、全てのパラメータの値に一致した番組である。例えば、条件１では、２CHで放送される番組が視聴制限番組である。また、条件２では、２２：００から５：５９の間に放送される番組が視聴制限番組である。条件３では、２２：００から５：５９の間に放送される番組であってジャンルが暴力である番組が、視聴制限番組である。
なお、条件３は、条件２にジャンルを追加した条件となっているため、条件２に含まれる条件となる。
【００３３】
次に、電子番組表の表示が指示される第２の場面について説明する。
図４は、本発明の実施形態であるディジタルテレビジョンにおいてEPGの表示が指示された時に制御部が行う動作を示すフローチャートである。
EPGの表示が指示されると、制御部２は、条件情報が記憶部１５に記憶されているか否かを判定する（S１）。
【００３４】
条件情報が記憶部１５に記憶されていないと判定すると、制御部２は、通常通り、EPGを表示部３２に表示し（S２、図２参照）、本処理を終了する。
【００３５】
一方、条件情報が記憶部１５に記憶されていると判定すると、制御部２は、記憶部１５から条件情報を読み出す（S３）。
【００３６】
制御部２は、読み出した条件情報の内容と合致する視聴制限番組がEPGの中にあるか否かを判定する（S４、図２及び図３参照）。この判定は、読み出した条件情報の内容とEPGデータメモリ１４に記憶されているEPGデータとを制御部２が比較することにより行われる。
【００３７】
視聴制限番組がEPGの中にないと判定すると、制御部２は、通常通り、EPGを表示部３２に表示し（S２、図２参照）、本処理を終了する。即ちS２では、制御部２は、EPGを表示部３２に表示することを許可している。
【００３８】
一方、視聴制限番組がEPGの中にあると判定すると、制御部２は、視聴制限番組に関する情報の表示を禁止する（S５）。ここで、S５の処理は、例えば次の方法により行われる。S５において、制御部２はEPGデータから視聴制限番組に関する情報を消去する。若しくは、S５において、制御部２はEPGデータを変換した画像データから、視聴制限番組に関する情報を消去するよう画像合成部６に指示する。
【００３９】
そして、制御部２は、EPGを表示部３２に表示するよう画像合成部６に指示し（S６）、本処理を終了する。S６により、画像合成部６は、視聴制限番組に関する情報が消去されたEPGの画像データ（表示信号）を単独で、D／A変換部８に出力する。又は、画像合成部６は、視聴制限番組に関する情報が消去されたEPGの画像データを映像データに合成して合成データ（表示信号）を形成し、D／A変換部８に出力する。ここで、図３に示すように、条件１では、２CHで放送される番組が視聴制限番組である。また、条件２では、２２：００から５：５９の間に放送される番組が視聴制限番組である。また、条件３は、上記したように、条件２に含まれる条件である。そのため、S６では、表示部３２において、例えば図５に示すようなEPGの画像が表示される。
【００４０】
図５は、視聴制限番組に関する情報の表示を禁止したEPG画面の表示例を示す図である。このように、EPGにおける、視聴制限番組に関する情報が表示部３２に表示されなくなる。そのため、ユーザは、EPGを利用した、視聴制限番組の選局を行うことできなくなる。
以上より、視聴制限を必要とする番組の視聴を制限できる。従って、視聴制限を必要とする番組を子供が視聴することを制限できる。
【００４１】
また、本発明の実施形態は、以下の変形例を採用することができる。
【００４２】
（第１変形例）
図５に示すように、視聴制限番組に関する情報の表示を禁止した場合、ディジタルテレビジョン１０１が故障しているのではないかとユーザに誤解されてしまうおそれがある。また、番組自体が放送されていないのかとユーザに誤解されてしまうおそれもある。
【００４３】
そこで、上記図４S５の処理の際、制御部２は、視聴制限番組に関する情報を表示していない旨を表示部３２で表示させる（図６参照）。この表示を行うために、視聴制限番組に関する情報を表示していない旨のメッセージを画像合成部６の画像メモリに予め記憶させておく。そして、S５の処理の際、制御部２は、そのメッセージを合成するよう画像合成部６に指示する。
これにより、ディジタルテレビジョン１０１が故障しているのではないかとユーザに誤解させてしまうことを防止する。また、番組自体が放送されていないのかとユーザに誤解させてしまうことも防止する。
【００４４】
（第２変形例）
図７は、本発明の実施形態の第２変形例であるディジタルテレビジョンにおいてチャンネルが選択された時に制御部が行う動作を示すフローチャートである。図７では、EPGを利用しないで、チャンネルを選択する第３の場面を想定している。
【００４５】
チャンネルが選択されると、制御部２は、条件情報が記憶部１５に記憶されているか否かを判定する（S１０１）。
【００４６】
条件情報が記憶部１５に記憶されていないと判定すると、制御部２は、通常通り、選択されたCHの番組を表示部３２に表示し（S１０２）、本処理を終了する。
【００４７】
一方、条件情報が記憶部１５に記憶されていると判定すると、制御部２は、記憶部１５から条件情報を読み出す（S１０３）。
【００４８】
そして、制御部２は、記憶部１５が記憶する条件情報の内容と選択されたCHの番組とが合致するか否かを判定する（S１０４）。図３を用いて具体的に説明すると、選択されたCHが２CHであれば、選択されたCHの番組は、条件１の内容と合致していることになる。また、選択されたCHの番組の放送時間帯が２３：００から２４：００の間であれば、選択されたCHの番組は、条件２の内容と合致していることになる。
【００４９】
条件情報の内容と所望の番組とが合致していないと判定すると、制御部２は、通常通り、選択されたCHの番組を表示部３２に表示し（S１０２）、本処理を終了する。
【００５０】
一方、条件情報の内容と所望の番組とが合致していると判定すると、制御部２は、パスワード入力画面を表示部３２に表示する（S１０５）。ユーザは、このパスワード入力画面においてパスワードを操作部１１から入力する。S１０５の処理を行うために、パスワード入力画面を画像合成部６の画像メモリに予め記憶させておく。そして、S１０５において、制御部２は、パスワード入力画面を合成するよう画像合成部６に指示する。また、操作部１１にパスワードを入力するためのパスワード入力キー（不図示）を設けておく。
【００５１】
制御部２は、入力されたパスワードが適正であるか否かを判定する（S１０６）。S１０６の判定のために、例えばパスワードを記憶部１５に予め記憶させておく。そして、S１０６において、制御部２は、入力されたパスワードと記憶部１５のパスワードとが一致するか否か判定する。
【００５２】
入力されたパスワードが適正であると判定すると、制御部２は、通常通り、選択されたCHの番組を表示部３２に表示し（S１０２）、本処理を終了する。
【００５３】
一方、入力されたパスワードが適正でないと判定すると、制御部２は、操作部１１から伝送されてきたCH選択の命令を無視し（S１０７）、本処理を終了する。
【００５４】
S１０２、S１０６及びS１０７より、入力されたパスワードが適正である場合のみ、選択されたチャンネルの番組が表示される。そのため、仮に、ユーザがEPGの表示を無視して市長制限番組を選局しても、パスワード入力画面が表示される。そして、パスワードが適正でない場合、視聴制限番組は表示部３２の画面に表示されない。
これにより、EPGを利用せずにチャンネルを選択する場合でも、ユーザは視聴制限番組を選局することができなくなる。
以上より、視聴制限を必要とする番組の視聴を一層制限できる。従って、視聴制限を必要とする番組を子供が視聴することを一層制限できる。
【図面の簡単な説明】
【００５５】
【図１】本発明の実施形態であるディジタルテレビジョンの主要な構成を示すブロック図
【図２】EPG画面の表示例を示す図
【図３】記憶部１５に記憶されている内容を示す図
【図４】本発明の実施形態であるディジタルテレビジョンにおいてEPGの表示が指示された時に制御部が行う動作を示すフローチャート
【図５】視聴制限番組に関する情報の表示を禁止したEPG画面の表示例を示す図
【図６】視聴制限番組に関する情報の表示を禁止したEPG画面において視聴制限番組に関する情報を表示していない旨を表示した表示例を示す図
【図７】本発明の実施形態の第２変形例であるディジタルテレビジョンにおいてチャンネルが選択された時に制御部が行う動作を示すフローチャート
【符号の説明】
【００５６】
２−制御部
３−チューナ
４−復調部
５−デコーダ
６−画像合成部
８−D／A変換部
１１−操作部
１４―EPGデータ記憶部
１５−記憶部
３０−アンテナ
３１−スピーカ
３２−表示部
１０１−ディジタルテレビジョン
【図１】
2008035223.tif 000003
【図２】
2008035223.tif 000004
【図３】
2008035223.tif 000005
【図４】
2008035223.tif 000006
【図５】
2008035223.tif 000007
【図６】
2008035223.tif 000008
【図７】
2008035223.tif 000009